(57)【要約】【課題】任意の月のカレンダーどうしを同時に一覧することが可能な卓上カレンダーを提供する。【解決手段】一箇月分の日付を記載したカレンダーシートを複数枚重ねたカレンダーシート群を複数列並べて配置したカレンダーシート部と、各カレンダーシート群のうちの任意の一箇月分のカレンダーシートどうしを並べて表示できるようにするため、前記カレンダーシート群を互いに独立してめくることを可能に前記カレンダーシート部を綴じ込むように構成されるリング部とを有する卓上カレンダーを提供する。【選択図】図１
0003171975.tif 000002
【実用新案登録請求の範囲】
【請求項１】
一箇月分の日付を記載したカレンダーシートを複数枚重ねたカレンダーシート群を複数列並べて配置したカレンダーシート部と、
各カレンダーシート群のうちの任意の一箇月分のカレンダーシートどうしを並べて表示できるようにするため、前記カレンダーシート群を互いに独立してめくることを可能に前記カレンダーシート部を綴じ込むように構成されるリング部と、
を有する卓上カレンダー。
【考案の詳細な説明】
【技術分野】
【０００１】
本考案は、卓上カレンダーに関する。
【背景技術】
【０００２】
卓上カレンダーは、仕事用のデスクの片隅などに置いて使用することが多いことから、スペースをとらないコンパクトなサイズのものが求められる。このため、一枚のカレンダーシートの面積も限られており、一枚のカレンダーシートには例えば一箇月分のカレンダーが記載され、大型の壁掛け用のカレンダーのように一枚のカレンダーシートに半年分や一年分のカレンダーを記載したものは少ない。例えば、特許文献１には、このような一枚のカレンダーシートに一箇月分のカレンダーが記載された卓上カレンダーが開示されている（特許文献１参照）。
【０００３】
また、卓上カレンダーは通例卓上に立てて使用される。このため、例えば、自立可能な脚を備え、前面に開口窓を設けた写真立て状のサックにカレンダーシートを挿入して使用するタイプのものが知られている。このタイプの場合、カレンダーシートは一枚ずつばらばらになっており、これらのシートを月の変化に応じて順次入れ替えて使用するようになっている。あるいは、複数のカレンダーシートを金属製のリングなどで冊子状に綴じたタイプのものも知られている。このタイプのものは、台紙を広げて底面を形成することにより自立させて使用するものが多い。
【０００４】
図３は、従来の卓上カレンダーの形状の一例を示す図である。このうち、（ａ）に示す卓上カレンダー０３００は、複数のカレンダーシート０３１１を金属製のリング０３２０で冊子状に綴じたタイプのものであって、台紙０３３０を広げることにより側面が略三角形状の自立可能な形状に形成して使用するものである。本例では、一枚のカレンダーシートに一箇月分のカレンダーが記載されている。
【０００５】
ところで、仕事上のスケジュール管理などの必要性からは、複数月、特に連続する複数月のカレンダーを一覧できる方が便利なことも多い。このため、一枚のカレンダーシートに二箇月分のカレンダーを並べて記載したものも見られる。図３（ｂ）はこのような一枚のカレンダーシート０３１１に二箇月分のカレンダーを記載した卓上カレンダー０３００を示す。さらに、図示を省略したが、年月を示す数字の左右の余白部分などに当該月の前後の月のカレンダーを小さく記載することで一枚のカレンダーシートで三箇月分のカレンダーを一覧できるようにしたものも見られる。
【先行技術文献】
【特許文献】
【０００６】
【特許文献１】特開２０１０−００５９３７号公報
【考案の概要】
【考案が解決しようとする課題】
【０００７】
しかし、従来の卓上カレンダーでは、同時に一覧できる複数月の組み合わせは一定のものに制約されている。例えば、図３（ｂ）に示した卓上カレンダーでは、１月と２月のカレンダーを同時に一覧でき、またこれを一枚めくることで３月と４月のカレンダーを同時に一覧できるが、２月と３月のカレンダーを同時に一覧することはできない。
【０００８】
一方、年月を示す数字の左右の余白部分などに当該月の前後の月のカレンダーを小さく記載することで一枚のカレンダーシートで三箇月分のカレンダーを一覧できるようにした卓上カレンダーでは、最初のカレンダーシートで当該月である１月とその前後の前年１２月・当年２月のカレンダーを同時に一覧でき、これを一枚めくることで当該月である２月とその前後の当年１月・３月のカレンダーを同時に一覧できる。従って、図３（ｂ）に示した卓上カレンダーのように連続する月であるにもかかわらず一覧できない場合が生じてしまうという問題は生じない。しかし、卓上カレンダーは、余白にスケジュールを書き込んで使用する場合も多いが、年月を示す数字の左右の余白部分などに小さく記載された月のカレンダー部分にスケジュールを書き込むことは困難であるので、このような場合には不便である。また、仮にこの部分にスケジュールを書き込むことができたとしても、例えば当該月として１月を表示しているときに２月のカレンダーに記載したスケジュールは、カレンダーを一枚めくって当該月として２月を表示したときには見ることができないので、２月と３月のスケジュールを一覧しようと思えば、当該月が２月であるカレンダーシートに２月のスケジュールを再度書き込まなければならず煩雑である。
【０００９】
そこで、本考案の解決すべき課題は、任意の月のカレンダーどうしを同時に一覧することが可能な卓上カレンダーを提供することにある。
【課題を解決するための手段】
【００１０】
以上の課題を解決するため、本考案は、一箇月分の日付を記載したカレンダーシートを複数枚重ねたカレンダーシート群を複数列並べて配置したカレンダーシート部と、各カレンダーシート群のうちの任意の一箇月分のカレンダーシートどうしを並べて表示できるようにするため、前記カレンダーシート群を互いに独立してめくることを可能に前記カレンダーシート部を綴じ込むように構成されるリング部とを有する卓上カレンダーを提供する。
【考案の効果】
【００１１】
本考案により、任意の月のカレンダーどうしを同時に一覧することが可能な卓上カレンダーを提供することが可能となる。
【図面の簡単な説明】
【００１２】
【図１】実施例１の卓上カレンダーの形状の一例を示す図
【図２】実施例１の卓上カレンダーのリング部の形状の一例を示す図
【図３】従来の卓上カレンダーの形状の一例を示す図
【符号の説明】
【００１３】
０１００      卓上カレンダー
０１１０      カレンダーシート部
０１１１      カレンダーシート
０１１２      カレンダーシート群
０１２０      リング部
０１３０      台紙
【考案を実施するための形態】
【００１４】
以下に、本考案の実施例を説明する。なお、本考案はこの実施例に何ら限定されるものではなく、その要旨を逸脱しない範囲において、種々なる態様で実施しうる。
【実施例１】
【００１５】
<概要>
【００１６】
本実施例の卓上カレンダーは、一箇月分の日付を記載したカレンダーシートを複数枚重ねたカレンダーシート群を複数列並べて配置し、これを互いに独立してめくることができるようにしたものであり、これによって任意の月のカレンダーどうしを同時に一覧することを可能にしたものである。
【００１７】
<構成>
【００１８】
（全般）
【００１９】
図１は、本実施例の卓上カレンダーの形状の一例を示す図である。図１（ａ）に示すように、本実施例の卓上カレンダー０１００は、カレンダーシート部０１１０と、リング部０１２０を有する。このほか、本実施例の卓上カレンダーは、自身を自立可能にするための台紙０１３０を備えていてもよい。図１に示した台紙は、両端がリング部で綴じられた一枚のシートからなり、下端部（矢印０１３１で示す）が山折り、谷折りおよび山折りされた略Ｗ字形状を有する。卓上カレンダーを自立させるときには上記の折り曲げられた部分を開いて底面を形成し、側面が略三角形状になるようにすればよい。
【００２０】
（カレンダーシート部）
【００２１】
カレンダーシート部は、一箇月分の日付を記載したカレンダーシート０１１１を複数枚重ねたカレンダーシート群０１１２を複数列並べて配置したものである。図１（ａ）ではカレンダーシート群を二列並べて配置した例を示したが、三列以上であってもよい。もっとも、あまり列数が多いとカレンダーシート一枚あたりの面積が小さくなりすぎるので、複数列は二列または三列であることが望ましい。
【００２２】
二列の場合、例えば、左側の列には奇数月のカレンダーを記載したカレンダーシートが重ねられ、右側の列には偶数月のカレンダーを記載したカレンダーシートが重ねられる。つまり、各列のカレンダーシート群はそれぞれカレンダーシートを６枚重ねたものとなる。従ってこの場合には、カレンダーシートを一枚めくると二箇月後の月のカレンダーを記載したカレンダーシートが現れることになる。
【００２３】
図１（ｂ）は、図１（ａ）に示した卓上カレンダーの左側の列の最前面に表れている１月のカレンダーを記載したカレンダーシートをめくった状態を示したものである。実際には、台紙を広げて卓上カレンダーを自立させた状態で、１月のカレンダーを記載したカレンダーシートをめくって左側の列のカレンダーシート群の最後面になる位置に回り込ませることで、このめくり動作を行うことができる。本例では、１月のカレンダーを記載したカレンダーシートの次に３月のカレンダーを記載したカレンダーシートが配置されているので、１月のカレンダーを記載したカレンダーシートをめくることで、２月と３月のカレンダーを同時に一覧することができるようになる。
【００２４】
さらに、本例の卓上カレンダーによれば、連続する二箇月に限らず、任意の二箇月を同時に一覧可能に表示することもできる。例えば、左側の列に１月を表示し、右側の列に４月を表示するといったことも可能となる。ただし、左側の列のカレンダーシート群に奇数月の６枚のカレンダーシートを重ね、右側の列のカレンダーシート群に偶数月の６枚のカレンダーシートを重ねたものでは、奇数月どうし、偶数月どうしを並べて表示することはできない。しかし、例えば、左側の列のカレンダーシート群にも右側の列のカレンダーシート群にも１月から１２月までの１２枚のカレンダーシートを重ねて配置すれば、文字通り任意の二箇月のカレンダーシートを並べて表示することが可能となる。
【００２５】
以上では、複数列が二列である場合の例で説明したが、三列以上の場合においても同様に構成することができ、これにより同様の効果を奏することが可能である。
【００２６】
なお、各カレンダーシートに記載される日付を示す数字は、余白にスケジュール等の書込みができるように、比較的小さく記載されることが望ましい。図１および図２の例でも、日付を示す数字が各日付欄の上半分程度を占める大きさにとどめられ、各日付欄の半分程度の部分がスケジュール等の書込みを行うための余白として確保されている例が示されている。
【００２７】
なお、カレンダーシートにスケジュール等の書込みが可能な余白を少しでも多く確保するため、カレンダーシートの裏面に、例えば日付を小さく記載して残りの部分をすべて余白としたスケジュールメモ欄を設けてもよい。この場合、図１に示したような台紙を備える卓上カレンダーであれば、スケジュールメモ欄にスケジュール等を書き込むときには、台紙を折り畳んで卓上カレンダーが平面状になるようにすれば、これを卓上に置いてそのままスケジュール等を書き込むことができる。
【００２８】
カレンダーシートの材料には特に限定はないが、環境保護の観点からは、森林環境保全に配慮し、違法伐採による材料を使用していないものであって、かつ適切な森林管理が行われていることを第三者機関が認証している紙が使用されることが望ましい。同様の観点から、台紙にはケナフなどを原料とする非木材紙が使用されることが望ましい。なお、カレンダーシートに記載される数字等の印刷に用いるインク溶剤には、健康保護の観点から、揮発性有機化合物（ＶＯＣ）を含まない植物性のノンＶＯＣインクを使用してもよい。
【００２９】
（リング部）
【００３０】
リング部は、各カレンダーシート群のうちの任意の一箇月分のカレンダーシートどうしを並べて表示できるようにするため、前記カレンダーシート群を互いに独立してめくることを可能に前記カレンダーシート部を綴じ込むように構成される。
【００３１】
「カレンダーシート群を互いに独立してめくることを可能に」とは、複数列のカレンダーシート群のうちの各カレンダーシートのめくり動作を複数列の他のカレンダーシート群とは無関係に独立して行うことができるようにという意味である。例えば、前出の図１で示したように、１月と２月のカレンダーシートを表示した状態から、左側のカレンダーシート群の１月のカレンダーシートだけをめくって３月のカレンダーシートを表示させる動作を行うことができるようになっているということである。
【００３２】
このような動作を可能にするため、リング部は、例えば、各列のカレンダーシート群を構成する各カレンダーシートに穿たれた穴に挿通させて綴じ込むことが可能な環状部材で構成される。卓上カレンダーが台紙を備える場合には、台紙にも穴が穿たれ、リング部を構成する環状部材は各カレンダーシート群からなるカレンダーシート部と台紙を一体的に綴じ込むように構成される。この場合、リング部を構成する部材は、カレンダーシートの穴の数と同数からなるものであってもよいし、カレンダーシート部の列数と同数のものであってもよいし、全体として一個のものであってもよい。カレンダーシートの穴の数と同数からなるものの場合には、リング部を構成する各部材は、各列のカレンダーシート群を構成する各カレンダーシートに穿たれた穴ごとに一つずつ挿通させるための一つの環からなる。カレンダーシート部の列数と同数のものである場合、リング部を構成する各部材は、各カレンダーシートに穿たれた穴に対しカレンダーシート群ごとに一つずつ挿通させるため、カレンダーシート群を構成する各カレンダーシートの穴の数と同数の環を有するものとなる。全体として一個のものである場合には、当該リング部はカレンダーシートに穿たれた穴の合計数と同数の環を有し、カレンダーシート部全体を綴じるものとなる。
【００３３】
図２は、本実施例の卓上カレンダーのリング部の構造の一例について説明するための図である。本図の例は、上で述べたバリエーションのうち、リング部を構成する部材がカレンダーシート部の列数と同数のものである場合の例である。具体的には、本例のリング部は図２（ｂ）に示すような形状をしているところ、かかる形状のリング部を形成するためには、図２（ａ）に示すような略長方形状の基板部分０２２１の４箇所に舌片部０２２２を等間隔に取り付けた形状の厚紙０２２０などにおいて、当該４個の舌片部を図示を省略したカレンダーシートの穴に挿通させた状態で当該舌片部を矢印で示す方向に丸く折り曲げて基板部分に接着剤などで圧着させるようにすればよい。
【００３４】
リング部の材料には特に限定はないが、環境保護の観点からは、上にも言及したような紙製のものであることが望ましく、これにより、廃棄時にはこのまま可燃性のごみとして燃やすことができるため、金属製のリングをわざわざ取り外すといった手間を省くことができる。
【００３５】
<効果>
【００３６】
本実施例の考案により、任意の月のカレンダーどうしを同時に一覧することが可能な卓上カレンダーを提供することが可能となる。
【図１】
0003171975.tif 000003
【図２】
0003171975.tif 000004
【図３】
0003171975.tif 000005